(57)【要約】【課題】取付体に蛍光灯ホルダを取り付けた際に、取付体に所定の方向で確実に取り付くとともに、取り付けた後で回転しない蛍光灯ホルダを提供すること。【解決手段】円形以外の形状の取付孔１０が穿設された取付体４に、取り付けられる、蛍光灯ホルダ５であって、前記蛍光灯ホルダ５は、蛍光灯の把持リング６と取付首部８からなり、取付首部８は、取付孔１０に対し通過可能であって所定の回転方向が与えられたときに抜け止めになる係止部１１と、通過可能であって取付孔１０に対して係合して回転を規制できる係合部１２と、通過可能であって所定の回転を許容できる回転部１３との少なくとも三重構造で構成されていること。【選択図】  図５
2004158324.tif 000002
【特許請求の範囲】
【請求項１】
円形以外の形状の取付孔が穿設された取付体に取り付けられる蛍光灯ホルダであって、前記蛍光灯ホルダは、蛍光灯の把持リングと取付首部からなり、前記取付首部は、前記取付孔に対し通過可能であって所定の回転方向が与えられたときに抜け止めになる係止部と、通過可能であって取付孔に対して係合して回転を規制できる係合部と、通過可能であって所定の回転を許容できる回転部との、少なくとも三重構造で構成されていることを特徴とする蛍光灯ホルダ。
【請求項２】
前記取付首部の係止部を前記取付孔に対して抜け止め状態になるように付勢する付勢手段が設けられ、この付勢手段は、前記回転部が取付孔に到達するまで弾性変形可能になっている請求項１に記載の蛍光灯ホルダ。
【請求項３】
前記付勢手段が、蛍光灯ホルダに一体に取り付けられているバネである請求項２に記載の蛍光灯ホルダ。
【請求項４】
前記取付首部の回転部が、把持リングに近づくに従い、その外径が小さくなっている略錐体形状である請求項１ないし３のいずれかに記載の蛍光灯ホルダ。
【発明の詳細な説明】
【０００１】
【発明の属する技術分野】
本発明は、蛍光灯を取り付けるための蛍光灯ホルダに関する。
【０００２】
【従来の技術】
従来、ショーケース等において、蛍光灯を取り付ける際には、蛍光灯ホルダが使用され、板などの取付体に設けられた取付孔に、蛍光灯ホルダに設けられた矢型をした取付首部を挿入し、取り付けていた。しかし、このような構造の蛍光灯ホルダにあっては、ショーケースのメンテナンスや蛍光灯ホルダの交換時には、蛍光灯ホルダが外し難く、一度取り付けると、板の裏面から作業をするか、取付首部を破壊しなければならず、作業が困難であった。
【０００３】
そこで取付孔を長円形の長孔とし、前記取付孔とほぼ補形をなし、挿入後に蛍光灯ホルダを９０度回転させ、取付孔の縁部と当接する係止片を有する蛍光灯ホルダがある。（例えば、特許文献１、特許文献２参照）
【０００４】
【特許文献１】
特開平９−１１５３２６号公報（第３頁、第２図）
【特許文献２】
実開平４−１１０３８１号公報（第２頁、第４図）
【０００５】
【発明が解決しようとしている課題】
しかしながら、文献１、文献２のものは、取付孔の一方からの挿入、及び脱離は可能であるが、取り付け後に取付孔内で取付首部が容易に回転してしまうので、把持リングに蛍光灯を取り付けようとした際に、把持リングの向きがくるい、蛍光灯を取り付ける作業中に把持リングを所定の方向に直さねばならず、手間がかかったり、取り付け後に取付首部が回転してしまうと、蛍光灯ホルダが脱落する恐れもあった。
【０００６】
本発明は、このような問題点に着目してなされたもので、取付体に蛍光灯ホルダを取り付けた際に、取付体に所定の方向で確実に取り付くとともに、取り付けた後で回転しない蛍光灯ホルダを提供することを目的とする。
【０００７】
【課題を解決するための手段】
上記の目的を解決するために、本発明の蛍光灯ホルダは、円形以外の形状の取付孔が穿設された取付体に取り付けられる蛍光灯ホルダであって、前記蛍光灯ホルダは、蛍光灯の把持リングと取付首部からなり、前記取付首部は、前記取付孔に対し通過可能であって所定の回転方向が与えられたときに抜け止めになる係止部と、通過可能であって取付孔に対して係合して回転を規制できる係合部と、通過可能であって所定の回転を許容できる回転部との、少なくとも三重構造で構成されていることを特徴としている。
この特徴によれば、蛍光灯ホルダを取付体に取り付ける際に、取付孔の一方向から取付首部を挿入して、取付孔と回転部を対応させて係止部が抜け止めとして働くまで回転させ、その後、係合部を取付孔に対応する位置まで復帰させることで取り付け可能となる。また、一度取り付けた蛍光灯ホルダを取付体から取り外す際には、取付孔と回転部とを対応させて、前記取付時とは逆の手段で、蛍光灯ホルダを取付体から容易に取り外すことができることになる。ここで取付首部の取付時にあっては係合部が取付孔の内周面に当接し、蛍光灯ホルダの回転が制止されるため、この定位置で蛍光灯ホルダに蛍光灯を取り付ける際に蛍光灯ホルダが不用意に回転するのを阻止できることになる。
【０００８】
本発明の蛍光灯ホルダは、前記取付首部の係止部を前記取付孔に対して抜け止め状態になるように付勢する付勢手段が設けられ、この付勢手段は、前記回転部が取付孔に到達するまで弾性変形可能になっていることが好ましい。
このようにすれば、付勢手段により取付首部がその挿入方向と逆の方向に常時付勢されていることになり、挿入方向（重力方向等）に関係なく、取り付け後に係合部を取付孔の内周面に安定的に保持させることができる。
【０００９】
本発明の蛍光灯ホルダは、前記付勢手段が、蛍光灯ホルダに一体に取り付けられているバネであることが好ましい。
このようにすれば、付勢手段が蛍光灯ホルダと一体なので取付構造が簡単になり、部品点数を省略できるのでコストダウンが期待できる。
【００１０】
本発明の蛍光灯ホルダは、前記取付首部の回転部が、把持リングに近づくに従い、その外径が小さくなっている略錐体形状になっていることが好ましい。
このようにすれば、取付首部を根元まで挿入することによって、取付首部と取付孔内周面との間がより大きく開くため、取付孔内で取付首部の回転が容易となる。
【００１１】
【発明の実施形態】
以下、本発明の実施例を図面に基づいて説明する。
【００１２】
図１〜図４により本発明の第１実施形態に係る蛍光灯ホルダの取付体への取付構造の構成について説明する。先ず、図１には本発明の実施例としての蛍光灯ホルダが取り付けられた、ショーケースの全体像を示す側断面図である。１はショーケースの全体像を示し、２は商品を陳列する商品棚を示し、商品棚２の下面には、下段の商品を照らすための蛍光灯３が設けられていて、この蛍光灯３を商品棚２の下面にある取付体４に把持するために蛍光灯ホルダ５が取り付けられている。
【００１３】
図２は、蛍光灯ホルダ５と、板状の取付体４の斜視図である。６は蛍光灯３を把持するための把持リング６であり、この把持リング６は、一部に開口部７を有する切欠円状をしている。把持リング６は弾性を有する合成樹脂等の材質で作られており、その開口部７から蛍光灯３を押し込むと、把持リング６は左右に開き、開口部７を蛍光灯３の太さまで広げ、蛍光灯３を把持リング６内に収めることができるようになっている。
【００１４】
把持リング６の外周上部には、取付首部８が設けられており、取付首部８の根元の左右両側には、付勢手段としての弾性のあるバネ板９が把持リング６より、突設しており、蛍光灯ホルダ５は、把持リング６と取付首部８、そしてバネ板９が一体構造となっている。
【００１５】
更に図２に示す１０は、板状の取付体４に穿設された取付孔であり、この取付孔１０は、この実施例では長円形状をした長孔である。
【００１６】
図３は、取付首部８の拡大図であり、この取付首部８は、係止部１１、係合部１２、回転部１３の三つの部位で構成されており、最上方に係止部１１があり、係合部１２は、係止部１１と回転部１３の間に設けられている。回転部１３は、把持リング６の外周面に接合する部位であり、把持リング６に近づくに従い、その外形が小さくなっていく略錐体形状をしている。
【００１７】
図４に示す、（ａ）は係止部１１の断面図であり、（ｂ）は係合部１２の断面図であり、さらに（ｃ）は回転部１３の断面図を示したものである。
【００１８】
（ａ）に示す取付首部８の先端にある係止部１１の断面は、取付体４に設けられた取付孔１０にほぼ補形をなし、長円形をしており、取付孔１０に挿入し、通過できるようになっているが、取付孔１０に対して所定の回転が与えられると取付孔１０と不整合状態になる形状をしている。
【００１９】
（ｂ）に示す係合部１２の断面は、四角形をしており、取付孔１０を通過できる大きさになっており、９０度の回転で係合部１２の一部の側面１２’が、取付孔１０の内周に係合することができる形状をしている。
【００２０】
（ｃ）に示す回転部１３の断面は、円形をしており、その外径は、取付孔１０を通過可能な大きさであり、取付孔１０内を自由に回転できる形状をしている。また、この回転部１３は略錐体形状をしており、取付首部８を根元まで挿入すれば、回転部１３の外周面と取付孔１０の内周面との間がより大きく開き、取付孔１０内で取付首部８の回転が容易となる形状をしている。
【００２１】
以下、図５〜図６により本発明の第１実施形態に係る蛍光灯ホルダの取付構造の取付作業について説明する。図５は、本発明の使用例を示す斜視図であり、図６（ａ）は、取付体に蛍光灯ホルダを取付時の図、（ｂ）は取付後の図である。
【００２２】
まず、図５に示すように、蛍光灯ホルダ５の取付首部８を、板状をした取付体４に穿設された長円形の取付孔１０に一方向から挿入し、図６（ａ）に示すように、取付首部８を挿入した際には、バネ板９は取付体４に当接し、その弾性により変形するので、取付首部８を根元まで挿入することができるようになる。この状態で取付孔１０内に回転部１３が位置するため、蛍光灯ホルダ５を容易に回転させることができるようになる。
【００２３】
次に、図５に示すように、蛍光灯ホルダ５を約９０度回転させて手を離すと、バネ板９は、その弾性により取付体４を把持リング６から引き離すように押圧し、取付首部８は、挿入した方向とは、逆の方向に付勢されるようになる。
【００２４】
そして、図６（ｂ）に示すように、取付孔１０に係止部１１が当接し、取付首部８は、取付孔１０から抜けることがなく固定される。係止部１１は、長円形の取付孔１０に補形をなすことで、９０度回転させたときの取付孔１０との係止安定度を最大にできる。
【００２５】
更に、このとき係合部１２の側面１２’が取付孔１０の内周面に当接し、蛍光灯ホルダ５は回転することなく取付体４に取り付けられる。すなわち蛍光灯ホルダ５の回転がここで安定し、制止されるため、蛍光灯ホルダ５に蛍光灯３を取り付ける際等に、蛍光灯ホルダ５が不用意に回転するのを効果的に阻止できることになる。
【００２６】
また、一度取り付けた蛍光灯ホルダ５を取付体４から取り外す際には、バネ板９の付勢力に対して逆に力を加え、取付孔１０と回転部１３とを対応させて９０度回転させ、前記取付時とは逆の手順で、取付首部８を取付孔１０より脱離させれば蛍光灯ホルダ５を取付体４から容易に取り外すことができるようになる。
【００２７】
以下、図７〜図８により本発明の第２実施形態に係る蛍光灯ホルダの取付構造について説明する。なお、上記実施形態と同一構成で重複する説明を省略する。
【００２８】
図７に示す、（ａ）は係止部１４の断面図であり、（ｂ）は係合部１６の断面図であり、さらに（ｃ）は回転部１９の断面図を示したものである。
【００２９】
（ａ）に示す係止部１４の断面は、取付孔１５にほぼ補形をなし、長方形をしており、取付孔１５に挿入し、通過できるようになっているが、取付孔１５に対して所定の回転が与えられると取付孔１５と不整合状態になる形状をしている。
【００３０】
（ｂ）に示す係合部１６の断面は、略円形をしており、取付孔１５を通過できる大きさになっており、係合部１６の側面には取付孔１５の係合溝１７に、９０度の回転で係合できるような係合片１８が設けられている。
【００３１】
（ｃ）に示す回転部１９の断面は、円形をしており、その外径は、取付孔１５を通過可能な大きさであり、取付孔１５内を自由に回転できる形状をしている。また、この回転部１９は円筒形状をしており、取付孔１５内での回転が容易となる形状をしている。
【００３２】
図８は、取付体２１に蛍光灯ホルダ２０を取り付けた際の図であり、蛍光灯ホルダ２０の設置時に、取付孔１５の内周面に、係合部１６が位置するまで付勢できる付勢手段が、蛍光灯ホルダ２０と一体になっておらず、板状の取付体２１にバネ板２２がネジ２３により取り付けられている。バネ板２２が取付首部２４を先端から付勢することで、係合部１６が取付孔１５の位置に係合されるようになっている。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、取付首部の取付孔は、長孔でなくてもよく、同時に係止部は、正方形や正三角形をしていてもよい、すなわち取付首部を挿入後に４５度や６０度に回転させれば取付孔に係止させることができるようになっていれば十分である。
【００３５】
また、取付孔と係止部は、必ずしも補形をなしていなくてもよく、取付首部を回転させた後に係止部の一部が取付孔に係止できる構造であればどのような形状でもよい。
【００３６】
更に、回転部は、略円錐形状や略角錐形状をしておらずに、円筒形や立方体のような形状をしていたとしても、その外径が取付孔の内径より小さければ、上記と同様な効果を得ることが可能である。
【００３７】
【発明の効果】
本発明は以下の効果を奏する。
【００３８】
（ａ）請求項１に記載の発明によれば、蛍光灯ホルダを取付体に取り付ける際に、取付孔の一方向から取付首部を挿入して、取付孔と回転部を対応させて係止部が抜け止めとして働くまで回転させ、その後、係合部を取付孔に対応する位置まで復帰させることで取り付け可能となる。また、一度取り付けた蛍光灯ホルダを取付体から取り外す際には、取付孔と回転部とを対応させて、前記取付時とは逆の手段で、蛍光灯ホルダを取付体から容易に取り外すことができることになる。ここで取付首部の取付時にあっては係合部が取付孔の内周面に当接し、蛍光灯ホルダの回転が制止されるため、この定位置で蛍光灯ホルダに蛍光灯を取り付ける際に蛍光灯ホルダが不用意に回転するのを阻止できることになる。
【００３９】
（ｂ）請求項２に記載の発明によれば、付勢手段により取付首部がその挿入方向と逆の方向に常時付勢されていることになり、挿入方向（重力方向等）に関係なく、取り付け後に係合部を取付孔の内周面に安定的に保持させることができる。
【００４０】
（ｃ）請求項３に記載の発明によれば、付勢手段が蛍光灯ホルダと一体なので取付構造が簡単になり、部品点数を省略できるのでコストダウンが期待できる。
【００４１】
（ｄ）請求項４に記載の発明によれば、取付首部を根元まで挿入することによって、取付首部と取付孔内周面との間がより大きく開くため、取付孔内で取付首部の回転が容易となる。
【図面の簡単な説明】
【図１】本発明の蛍光灯ホルダを取り付けられた、ショーケースの全体像を示す側断面図である。
【図２】本発明の第１実施形態に係る蛍光灯ホルダと、取付体に設けられた取付孔の斜視図である。
【図３】本発明の第１実施形態に係る取付首部の拡大図である。
【図４】本発明の第１実施形態に係る（ａ）は係止部の断面図であり、（ｂ）は係合部の断面図であり、（ｃ）は回転部の断面図である。
【図５】本発明の第１実施形態に係る使用例を示す斜視図である。
【図６】本発明の第１実施形態に係る（ａ）は取付体に蛍光灯ホルダを取付時の図であり、（ｂ）は取付後の図である。
【図７】本発明の第２実施形態に係る（ａ）は係止部の断面図であり、（ｂ）は係合部の断面図であり、（ｃ）は回転部の断面図である。
【図８】第２実施形態に係る取付体に蛍光灯ホルダを取付時の図である。
【符号の説明】
１          ショーケース
２          商品棚
３          蛍光灯
４          取付体
５          蛍光灯ホルダ
６          把持リング
７          開口部
８          取付首部
９          バネ板
１０        取付孔
１１        係止部
１２        係合部
１２’      側面
１３        回転部
１４        係止部
１５        取付孔
１６        係合部
１７        係合構
１８        係合片
１９        回転部
２０        蛍光灯ホルダ
２１        取付体
２２        バネ板
２３        ネジ
２４        取付首部
【図１】
2004158324.tif 000003
【図２】
2004158324.tif 000004
【図３】
2004158324.tif 000005
【図４】
2004158324.tif 000006
【図５】
2004158324.tif 000007
【図６】
2004158324.tif 000008
【図７】
2004158324.tif 000009
【図８】
2004158324.tif 000010